(57)【要約】【課題】良好な視認性と不要電磁波輻射抑制を実現する事が可能な導電性フィルタおよびそれを用いた表示装置を提供する。【解決手段】基材上に導電性メッシュを形成してなる導電性フィルタであって、前記導電性メッシュは、前記基材最表面よりも外側にある外導電部と、前記外導電部と同じ幅で前記外導電部に接しており、前記基材最表面よりも内側にある内導電部からなり、前記内導電部は、前記基材内側へ行くほど幅が狭くなるような断面形状を持つ導電性フィルタを構成する。【選択図】図１
2009251421.tif 000002
【特許請求の範囲】
【請求項１】
基材上に導電性メッシュを形成してなる導電性フィルタであって、
前記導電性メッシュは、
前記基材最表面よりも外側にある外導電部と、
前記外導電部と同じ幅で前記外導電部に接しており、前記基材最表面よりも内側にある内導電部からなり、
前記内導電部は、
前記基材内側ほど幅が狭い断面形状を持つ、導電性フィルタ。
【請求項２】
前記内導電部は、
略三角形状の断面形状を有する、請求項１記載の導電性フィルタ。
【請求項３】
前記外導電部の幅をｗ、前記内導電部の最内部である三角形の頂点から前記外部導体部と接する面までの距離をｔ、前記基材の屈折率をnとするとき、次の式を満足する、請求項２記載の導電性フィルタ。
【数１】
2009251421.tif 000008
【請求項４】
前記基材上の前記導電性メッシュの形成される面と同じ表面に設けられた追加層を更に有し、
前記外導電部の幅をｗ、前記内導電部の最内部である三角形の頂点から前記外部導体部と接する面までの距離をｔ、前記追加層の屈折率をn1、前記基材の屈折率をn2とするとき、次の式を満足する、請求項２記載の導電性フィルタ。
【数２】
2009251421.tif 000009
【請求項５】
請求項１乃至４のいずれか記載の導電性フィルタと、表示デバイスとを備え、
前記外導体部が前記表示デバイス側に向けて配置される、表示装置。
【発明の詳細な説明】
【技術分野】
【０００１】
本発明は、導電性フィルタおよび導電性フィルタを用いた表示装置等に関する。
【背景技術】
【０００２】
近年、家庭内のデジタルテレビや空港などにある電子掲示板において、高画質、大画面の表示装置が多く用いられている。特に、プラズマディスプレイ（Ｐｌａｓｍａ  ｄｉｓｐｌａｙ）装置や液晶ディスプレイ装置、または有機ＥＬ（Ｅｌｅｃｔｒｏ−Ｌｕｍｉｎｅｓｃｅｎｃｅ）ディスプレイ装置は、薄型を構成するのに最適であることから、急速に普及が進んでいる。
【０００３】
これらの表示装置等では電磁妨害の国際規格ＣＩＳＰＲや国内の電気用品安全法において、３０ＭＨｚから１ＧＨｚの不要電磁波輻射の漏洩レベルが規制されている。この規制周波数領域の不要電磁波輻射を漏洩させないために、例えばプラズマディスプレイ装置では前面に電磁波をシールドするための導電性フィルタを用いる方法などがとられている。
【０００４】
導電性フィルタとしては主として、エッチング加工などにより金属でメッシュを形成した金属メッシュ品や、金属の薄い薄膜スパッタを蒸着させて形成した金属スパッタ品などがある。特に、導電率が比較的高い、言い換えれば、シート抵抗の比較的低い金属メッシュ品がよく用いられる。
【０００５】
上記の金属メッシュ品において不要電磁波輻射を低下させるためには、導電性フィルタ内の導電部の導電部幅を広げることが有効である。また、隣り合う導電部の間隔である導電部ピッチを狭くすることも有効である。また、厚みを厚くすることも有効である。従来技術として、不要電磁波輻射抑制のために導電性フィルタの導電層の膜圧を指定する技術が提案されている（例えば、特許文献１参照）。
【０００６】
また、視認性を高めるための導電性フィルタの製造方法が提案されている（例えば、特許文献２）。
【０００７】
また、高い電磁シールド効果を有するプラズマディスプレイパネル用の電磁波シールド板が提案されている（例えば特許文献３）。
【特許文献１】特開２００７−２４２８４５号公報
【特許文献２】特開２００６−３２６８６号公報
【特許文献３】特開平１１−１８６７８５号公報
【発明の開示】
【発明が解決しようとする課題】
【０００８】
しかしながら、導電性フィルタの電磁波のシールド効果を上げるために導電部の導電部幅を広げたり、導電部のピッチを狭くしたりすると、光の透過率が下がり、視認性が低下する。また導電部の膜厚を厚くしても、真正面からの視認性に変化はないが、斜めからの視認性が低下するという課題がある。
【０００９】
本発明は上記課題に鑑みてなされたものであり、視認性の低下を抑制しつつ、電磁波のシールド効果を高めた導電性フィルタを提供することを目的とする。また、当該導電性フィルタを用いた表示装置を提供することを目的とする。
【課題を解決するための手段】
【００１０】
上記目的は以下の導電性フィルタにより達成できる。当該目的を達成するための導電性フィルタは、基材上に導電性メッシュを形成してなる導電性フィルタであって、前記導電性メッシュは、前記基材最表面よりも外側にある外導電部と、前記外導電部と同じ幅で前記外導電部に接しており、前記基材最表面よりも内側にある内導電部からなり、前記内導電部は、前記基材内側へ行くほど幅が狭くなるような断面形状を持つ、導電性フィルタである。
【００１１】
また、当該目的を達成するための表示装置は、前記導電性フィルタと、表示デバイスを備え、前記外導体部が前記表示デバイス側に向けて配置される表示装置である。
【発明の効果】
【００１２】
本発明による導電性フィルタおよび表示装置によれば、視認性の低下を抑制しつつ、電磁波のシールド効果を高めた導電性フィルタ、および当該導電性フィルタを用いた表示装置を提供することができる。
【発明を実施するための最良の形態】
【００１３】
以下、導電性フィルタおよびプラズマディスプレイ装置等の実施形態について図面を参照して説明する。なお、実施の形態において同様の動作を行う構成要素に同じ符号を付し、再度の説明を省略する場合がある。
【００１４】
（実施の形態１）
まず、実施の形態１に係る導電性フィルタの構造について説明する。図１（ａ）は、実施の形態１に係る導電性フィルタの断面図である。図１（ｂ）は、図１（ａ）のＡ部分の拡大図である。
【００１５】
図１において、導電性フィルタ１は、基材２と導電性メッシュ３とで構成される、基材２は、例えばポリエステルなどの絶縁性物質からなる。導電性メッシュ３は、外導電部３ａと内導電部３ｂからなる。外導電部３ａは、基材２の最表面よりも外側の部分である。内導電部３ｂは、基材２の最表面よりも内側の部分である。内導電部３ｂは、外導電部３ａの幅ｗと同じ幅で外導電部３ａに接している。
【００１６】
また、内導電部３ｂは、基材２の内側へ行くほど幅ｗが狭くなる断面形状を有している。
【００１７】
ここで、本発明の導電性フィルタ１の製造方法について説明する。まず、エッチング法について説明する。第１に、金属箔などを基材２に貼り合わせる。第２に、レジストパターンを金属箔上に形成する。第３に、ケミカルエッチングを行うことで導電性メッシュ３を形成する。
【００１８】
次に、フォトリソグラフ法について説明する。第１に、基材２に導電性粒子と感光性成分を含有した感光性ペーストを塗布する。第２に、フォトマスクを介して露光する。第３に、現像を経て導電性メッシュ３を形成する。
【００１９】
次に、銀塩法について説明する。第１に、ハロゲン化銀を分散した乳剤を基材２に塗布する。第２に、フォトマスクを介して露光する。第３に、現像、定着、水洗を行うことにより導電性メッシュ３を形成する。その他、スクリーン印刷等を用いて導電性メッシュ３を形成する印刷法等がある。
【００２０】
なお、導電性フィルタ１の導電性メッシュ３に用いる導電材料としては、金、銀、銅、アルミ、鉄などの金属が挙げられる。その中でも加工性が高く、また導電率が高く電磁波シールド性に優れる銀、銅、アルミが好ましい。また、フォトリソグラフ法を用いる場合においては銀が最も好ましい。銀の導電性粒子を用いることで焼成温度が低く設定でき、製造コストの低減が可能となるからである。基材２にガラスを用いた場合には、基材２の歪みを生じさせずに導電性メッシュ３を焼成することができる。また、基材２に用いる感光性樹脂としては、ポリマー１分子中に２つ以上の炭素−炭素２重結合を有する多官能モノマー、光重合開始剤等が成分として挙げられる。感光性樹脂に使用されるポリマーは特に限定されないが、アルカリ可溶性のポリマーであることが望ましい。感光性樹脂のパターン加工を、有機溶媒を用いる方法ではなくアルカリ水溶液現像で行うことができるからである。
【００２１】
次に、本実施の形態における光の透過について説明する。これに基づき、視認性の低下を抑制しつつ電磁波のシールド効果が高まる原理について説明する。
【００２２】
図２は、屈折率ｎ１の媒質から屈折率ｎ２の媒質へ光が入射する様子を示している。ここで、ｎ1＜ｎ2である。このとき媒質の境界では屈折が起こり、光の入射角θ1に対し、進入角θ2は、θ2＜θ1となる。
【００２３】
図３は、従来構成の導電性メッシュにおいて、導電性メッシュの近傍での光の入射の様子を示している。光Ｌは導電性メッシュの直前で、かつ、基材表面に水平に近い角度（入射角ほぼ９０°）θ1で基材に入射している。このとき、光Ｌは上述したように屈折して基材に進入する。そのため、導電性メッシュの背面には光の通らない領域Ａが存在する。
【００２４】
空気の屈折率をｎ1＝１、基材の屈折率をｎ2＝ｎ、導電性メッシュの幅をｗとすれば、光の通らない領域Ａの深さｄは以下の式（１）で表される。
【００２５】
【数３】
2009251421.tif 000003
【００２６】
一方、入射角θ1と進入角θ2との間にはスネルの法則より、以下の式（２）を導くことができる。
【００２７】
【数４】
2009251421.tif 000004
【００２８】
ここで、式（２）を式（１）へ代入し、θ1を最大の９０°とすると、式（３）のようになる。
【００２９】
【数５】
2009251421.tif 000005
【００３０】
この領域Ａは、もともと光が通らない領域である。よって、この領域を含むように内導電部で埋めた場合、基材と反対側に導電性メッシュの厚みを増すような場合に比べて視認性の低下を少なくすることができる。また、この領域を内導電部で埋めることで、導電性メッシュの抵抗値は下がり、電磁波シールドとしての効果を高めることができる。特に、領域Ａ内のみを埋めるようにすれば、視認性には影響を与えずに電磁波シールドとしての効果を高めることができる、言い換えれば、内導電部の深さｔを以下の式（４）のようにして三角形状となるように形成すれば、視認性には影響を与えずに電磁波シールドとしての効果を高めることができる。
【００３１】
【数６】
2009251421.tif 000006
【００３２】
図１は、この領域Ａを埋めるように内導電部３ｂを形成している。ここで、内導電部３ｂは上述した（式４）を満たすように形成されている。よって、視認性を低下させること無く、電磁波シールド効果を高めることが可能となっている。
【００３３】
（実施の形態２）
次に、本発明の実施の形態２に係る導電性フィルタについて、図４を用いて説明する。実施の形態２は実施の形態１と比較して、色補正層をさらに有している点で実施の形態１とは異なる。
【００３４】
図４は、実施の形態２に係る導電性フィルタ４の断面図を示している。実施の形態２に係る導電性フィルタ４は、色補正層５を有している。この場合、色補正層５の屈折率をｎ1、基材２の屈折率をｎ2とすると、フィルタの厚さｔは以下の式（５）を満たす。
【００３５】
【数７】
2009251421.tif 000007
【００３６】
このような構成とすることで、色補正層５を有する場合においても視認性には影響を与えずに電磁波シールドとしての効果を高めることができる。
【００３７】
なお、実施の形態１および２においては、内導電部３ｂの断面形状を三角形としたが、これに限られるものではない。少なくとも上述した領域Ａの一部を含んで構成される形状であればその他の形状も可能である。視認性の低下を少なくすることができ、また、電磁波シールドとしての効果を高めることができるからである。例えば、台形であったり、半円状であったりしてもよい。
【００３８】
また、実施の形態２においては、色補正層５を用いた場合を説明したが、これに限られない。さまざまな層が設けられる場合であっても同様に本発明を適用可能である。例えば、ポリエステルの保護層や反射防止層、光拡散層などを目的に応じて設けることも可能である。
【００３９】
（実施の形態３）
図５から図８は、本発明の実施の形態３に係る表示装置としてのプラズマディスプレイ装置を示している。図５（ａ）は実施の形態３に係るプラズマディスプレイ装置の構成を説明するための正面図である。図５（ｂ）は図５（ａ）の線分ａ−ａにおける横断面概略図であり、実施の形態としての不要電磁波輻射に深く関連する構造物のみを示している。図６は実施の形態３に係るプラズマディスプレイ装置におけるプラズマディスプレイモジュールの構成を説明するための斜視図である。図７（ａ）は実施の形態３に係るプラズマディスプレイ装置におけるプラズマディスプレイパネルの電極構造を説明するための斜視図である。図７（ｂ）はその断面図である。図８は本発明のプラズマディスプレイ装置における導電性前面フィルタの構造を説明するための斜視図である。
【００４０】
以下、説明の便宜のために、プラズマディスプレイ装置１０の表示面の法線方向をｘ軸、プラズマディスプレイ装置１０の表示面の長手方向をｙ軸、ｘ軸およびｙ軸に直交する方向をｚ軸と呼ぶ場合がある。
【００４１】
図５および図６において、プラズマディスプレイ装置１０におけるプラズマディスプレイモジュール２０は、長手方向に平行な走査・維持電極１４０および短手方向に平行なアドレス電極１５０を有するプラズマディスプレイパネル１００を有している。また、非表示面側には、プラズマディスプレイパネル１００の保持板であるシャーシ導体１１０が熱伝導シート（図示せず）を介して配置されている。
【００４２】
走査・維持電極用駆動回路基板１２０ａ、アドレス電極用駆動回路基板１２０ｂ、中継回路基板１２０ｃ、放電制御回路基板１２０ｄは、シャーシ導体１１０の背面側に配置されている。
【００４３】
走査・維持電極用駆動回路基板１２０ａから発生した駆動信号は、フレキシブルケーブル１３０ａによってプラズマディスプレイパネル１００の走査・維持電極１４０に伝えられる。
【００４４】
放電制御回路基板１２０ｄで発生した高周波信号は、フレキシブルケーブル１３０ｄによって中継回路基板１２０ｃに伝えられる。そしてフレキシブルケーブル１３０ｃによってアドレス電極用駆動回路基板１２０ｂに伝えられる。そして、アドレス電極用駆動回路基板１２０ｂで駆動信号が発生し、フレキシブルケーブル１３０ｂによってプラズマディスプレイパネル１００のアドレス電極１５０に伝えられる構成となっている。
【００４５】
プラズマディスプレイモジュール２０の外側には、バックカバー１６０、ガラス押さえ金具１７０、前面ガラス１８０、前面キャビネット１９０、導電性前面フィルタ２００、導電性ガスケット２１０がプラズマディスプレイモジュール２０を内包するように構成されている。このうちバックカバー１６０、ガラス押さえ金具１７０、前面ガラス１８０に貼り付けられた導電性前面フィルタ２００、導電性ガスケット２１０によって導電筐体が構成される。
【００４６】
プラズマディスプレイパネル１００は、図７に示すように、前面ガラス板１０１と背面ガラス板１０２とが貼り合わされる構造となっている。前面ガラス板１０１には誘電体層１０３が形成されている。走査電極１４０ａと維持電極１４０ｂとからなる走査・維持電極１４０は誘電体層１０３に保護される形で多数形成される。背面ガラス板１０２にも誘電体層１０３が形成されている。アドレス電極１５０は誘電体層１０３に保護される形で多数形成される。
【００４７】
走査・維持電極１４０とアドレス電極１５０との交差位置で、走査・維持電極１４０とアドレス電極１５０とに挟まれた部分が放電セル１０４である。放電セル１０４には、ヘリウム（Ｈｅ）、ネオン（Ｎｅ）、キセノン（Ｘｅ）等の希ガスを含む放電ガスが封入されている。放電セル１０４は、隔壁１０５で区画されて形成されている。各放電セル内は、赤、青、緑の蛍光体１０６ａ〜１０６ｃが塗り分けられている。
【００４８】
シャーシ導体１１０は、熱伝導率および電気伝導率の高いアルミニウム、銅等の金属板で構成されている。一方の面（前面）には熱伝導シートを介してプラズマディスプレイパネル１００が取り付けられ、他方の面（背面）には、各駆動回路基板等が取付けられている。各種駆動回路基板等は、シャーシ導体１１０と平行になるように取り付けられている。また、シャーシ導体１１０は、各種駆動回路基板等とのグラウンドと接続されている。シャーシ導体１１０はプラズマディスプレイパネル１００や各駆動回路基板等を保持し、これらの強度を保つ強度部材として機能する。さらには、各駆動回路基板等の電気的なグラウンドとして、上述した駆動信号の電流帰路として機能する。例えば、走査・維持電極用駆動回路基板１２０ａのシグナルグラウンドはＡ点で、アドレス電極用駆動回路基板１２０ｂのシグナルグラウンドはＢ点で、中継回路基板１２０ｃのシグナルグラウンドはＣ点で、放電制御回路基板１２０ｄのシグナルグラウンドはＤ点で、それぞれフレームグラウンドであるシャーシ導体１１０に接地されている。
【００４９】
導電性前面フィルタ２００は、図８に示すように、基材２０１、導電性メッシュ２０２、金属端部２０３、保護膜２０４からなる。基材２０１は、ポリエステルフィルムなどからなる。導電性メッシュ２０２は、基材２０１上に銅などで形成される。金属端部２０３は、導電性メッシュ２０２の周縁部に形成される。保護膜２０４は、透明な絶縁樹脂で導電性メッシュ２０２上に形成される。金属端部２０３は保護膜２０４で覆われていないので、電気的な接続箇所として機能する。
【００５０】
ここで、基材２０１と導電性メッシュ２０２が、実施の形態１で示した導電性フィルタを形成している。導電性前面フィルタ２００のうち基材２０１の形成されている側が外側（観察者側）に来るように配置されている。また、導電性メッシュ２０２が形成されている側が内側（プラズマディスプレイパネル１００側）に来るように配置されている。このようにすることで、実施の形態１で示したように、視認性には影響を与えずに電磁波シールドとしての効果を高めることができる。
【００５１】
なお、導電性メッシュ２０２としては銅メッシュが用いられる。なお、銅に限られるものではなく導電性を有していれば他のものでも可能である。例えば、鉄や銀を用いることも可能である。鉄メッシュであれば磁性を有するので磁界のシールド効果を増すこともできる。
【００５２】
前面ガラス１８０は、プラズマディスプレイパネル１００の前面側（観察者側）に配置されている。前面ガラス１８０は、内側面（表示面と反対側）に導電性前面フィルタ２００が貼り付けられている。前面ガラス１８０は、表示面の衝撃を保護する機能を果たしている。
【００５３】
ガラス押さえ金具１７０は、前面キャビネット１９０との間で前面ガラス１８０を挟むことで前面ガラス１８０を固定する役割を果たす。ガラス押さえ金具１７０は、前面ガラス１８０に貼り付けられた導電性前面フィルタ２００の金属端部２０３と導電性の接触部材である導電性ガスケット２１０を介して電気的に接触するように配置される。さらに、ガラス押さえ金具１７０は、導電性ガスケット２１０を介してバックカバー１６０とも接触している。
【００５４】
なお、導電性のガスケットとは例えばスポンジのような弾性材料の表面に金属繊維を貼り付けた構成である。ここでは導電性の接触部材として導電性のガスケットを用いたが、これに限られない。すなわち導電性を有し、２つの部材間の電気的接触の安定性を確保するものであればよい。例えば、導電性のバネ部をガラス押さえ金具１７０に形成してもよい。このようにすれば、低コスト化が可能である。
【００５５】
バックカバー１６０は、導電性の金属板をプレス成形することにより形成される。バックカバー１６０は、プラズマディスプレイパネル１００の背面と各駆動回路基板等を覆うようにガラス押さえ金具１７０に固定されている。そして、プラズマディスプレイパネル１００、各駆動回路基板等から放射される電磁波を遮蔽する役割を担っている。バックカバー１６０は、導電性前面フィルタ２００、ガスケット２１０、ガラス押さえ金具１７０とともに導電筐体を形成している。
【００５６】
次に、本実施の形態に係るプラズマディスプレイ装置１０において、駆動電流による電磁妨害波の発生原理について、プラズマディスプレイパネルの動作原理に基づいて説明する。
【００５７】
まず、プラズマディスプレイパネル１００の画像表示原理について図６を参照しながら説明する。最初に、走査電極１４０ａの全ラインに電圧を印加して全部の放電セルで放電を起こす初期化放電を行う。次に、走査電極１４０ａに順次電圧を印加するとともに、電圧が印加された走査電極上で発光させたい放電セルと交わるアドレス電極１５０にも電圧を印加する。これをアドレス放電といい、電圧が印加された走査電極１４０ａとアドレス電極１５０とが交わる位置の放電セルが発光し、該放電セルが発光セルとして選択される。その後、走査電極１４０ａと維持電極１４０ｂとの間に交流電圧を印加する維持放電を行う。維持放電の印加電圧は基本周波数１８０ｋＨｚの矩形波を用いている。維持放電により、先程選択された発光セルのみが発光し、プラズマディスプレイパネルは画像を表示する。ここで、アドレス放電や維持放電により電極に流れる電流を駆動電流と呼ぶ。
【００５８】
ここで、駆動電流は、走査・維持電極１４０またはアドレス電極１５０を流れて、シャーシ導体１１０を帰路として電流ループを形成する。この駆動電流によるループは、アンペールの法則に従ってこのループを形成する平面に対して垂直方向に強い磁界を発生させる。これが電磁妨害波の主要因となる。
【００５９】
また、シャーシ導体１１０には、駆動回路基板以外にも映像信号処理回路基板（図示せず）などの高周波電流の流れる基板が取付けられている。これらの基板もまた、高周波の電磁妨害波の要因となる。
【００６０】
導電性前面フィルタ２００は、導電筐体の一部としてプラズマディスプレイモジュール２０を囲んでシールド構造を形成している。この導電性前面フィルタ２００の抵抗値が低いほど、シールドとしての性能を増すことが可能になる。ここでは、実施の形態１で述べた導電性フィルタを形成しているため、従来のプラズマディスプレイ装置のシールド構造に比べて視認性を悪化させること無くシールド効果を高めることができる。
【００６１】
なお、本実施の形態においては、シールド効果を高める構成としたが、これに限られない。例えば、従来と同じ程度のシールド効果を実現して、従来以上の視認性の向上を図ることも可能である。このようにすれば、更に高画質の画像表示が可能となる。
【００６２】
また、本実施の形態においては、表示デバイスとしてプラズマディスプレイパネルを用いたが、これに限られない。本発明の導電性フィルタを用いた表示装置であれば、他の表示デバイスを用いるものであってもよい。例えば、液晶パネルや有機ＥＬパネルを用いた表示装置に適用することも可能である。
【００６３】
なお、上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００６４】
以上のように、本発明にかかるプラズマディスプレイ装置は、プラズマディスプレイパネルを流れる電流により発生する電磁妨害波を効果的に低減可能なプラズマディスプレイ装置等として有用である。
【図面の簡単な説明】
【００６５】
【図１】（ａ）本発明の実施の形態１に係る導電性フィルタの断面図、（ｂ）図１（ａ）のＡ部分の拡大図
【図２】屈折率ｎ１の媒質から屈折率ｎ２の媒質へ光が入射する様子を示す説明図
【図３】従来構成の導電性メッシュ近傍での光の入射の様子を示す説明図
【図４】本発明の実施の形態２に係る導電性フィルタの断面図
【図５】（ａ）プラズマディスプレイ装置の構成を説明するための正面概略図、（ｂ）図５（ａ）の線分ａ−ａにおける横断面概略図
【図６】プラズマディスプレイモジュールの構成を説明するための斜視図
【図７】（ａ）プラズマディスプレイ装置におけるプラズマディスプレイパネルの電極構造を説明するための斜視図、（ｂ）プラズマディスプレイ装置におけるプラズマディスプレイパネルの電極構造を説明するための断面図
【図８】導電性前面フィルタの構造を説明するための斜視図
【符号の説明】
【００６６】
１、４  導電性フィルタ
２  基材
３  導電性メッシュ
３ａ  外導電部
３ｂ  内導電部
１０  プラズマディスプレイ装置
２０  プラズマディスプレイモジュール
１００  プラズマディスプレイパネル
１１０  シャーシ導体
１２０ａ  走査・維持電極用駆動回路基板
１２０ｂ  アドレス電極用駆動回路基板
１２０ｃ  中継回路基板
１２０ｄ  放電制御回路基板
１３０ａ、１３０ｂ、１３０ｃ、１３０ｄ  フレキシブルケーブル
１４０  走査・維持電極
１５０  アドレス電極
１６０  バックカバー
１７０  ガラス押さえ金具
１８０  前面ガラス
１９０  前面キャビネット
２００  導電性前面フィルタ
２０１  基材
２０２  導電性メッシュ
２０３  金属端部
２０４  保護膜
２１０  導電性ガスケット
１０１  前面ガラス板
１０２  背面ガラス板
１０３  誘電体層
１０４  放電セル
１０５  隔壁
１０６ａ、１０６ｂ、１０６ｃ  蛍光体
【図１】
2009251421.tif 000010
【図２】
2009251421.tif 000011
【図３】
2009251421.tif 000012
【図４】
2009251421.tif 000013
【図８】
2009251421.tif 000014
【図５】
2009251421.tif 000015
【図６】
2009251421.tif 000016
【図７】
2009251421.tif 000017